【手続補正書】
【提出日】平成17年7月8日(2005.7.8)
【手続補正１】
【補正対象書類名】明細書
【補正対象項目名】特許請求の範囲
【補正方法】変更
【補正の内容】
【特許請求の範囲】
【請求項１】
生体表面から生体内部の血液に波動を送受信して、前記生体内部の血液の流れを検出する血流速度センサと、前記血流速度センサを駆動させる駆動部１１と、前記血流速度センサからの信号を受信する受信部１２と、前記駆動部１１と前記受信部１２とを制御し血流速度を求める信号演算部１３と、生体表面から生体内部の血液に光を送受信して、前記生体内部の血液の容積変化を検出する容積脈波センサと、前記容積脈波センサを駆動させる駆動部２１と、前記容積脈波センサからの信号を受信する受信部２２と、前記駆動部２１と受信部２２とを制御し容積脈波強度を求める信号演算部２３と、前記信号演算部１３と前記信号演算部２３の演算結果を用いて血圧を求める血圧信号演算部３３と、を有することを特徴とする血圧測定装置。
【請求項２】
生体表面から生体内部の血液に波動を送受信して、前記生体内部の血液の流れを検出する血流速度センサと、前記血流速度センサを駆動させる駆動部４１と、前記血流速度センサからの信号を受信する受信部４２と、前記駆動部４１と前記受信部４２とを制御し血流速度を求める信号演算部４３、と前記血流速度成分から強度スペクトルを分離し求める信号分離部４４と、前記信号演算部４３と前記信号分離部４４からの演算結果を用いて血圧を求める血圧信号演算部４５と、を有することを特徴とする血圧測定装置。
【請求項３】
請求項１又は請求項２のいずれかに記載の血圧測定装置において、前記血流速度センサは、送信用素子と受信用素子から構成し、しかも前記送信用素子と前記受信用素子の対は複数対あり、送受信する波動の進行方向と血液の流れる方向とのなす角度が対ごとに異なることを特徴とする血圧測定装置。
【請求項４】
請求項３に記載の血圧測定装置において、前記送信用素子と前記受信用素子は2対であることを特徴とする血圧測定装置。
【請求項５】
請求項１から請求項４のいずれかに記載の血圧測定装置において、前記血流速度センサは、圧電素子を用いて構成することを特徴とする血圧測定装置。
【請求項６】
請求項１に記載の血圧測定装置において、前記容積脈波センサは、光送信用素子と光受信用素子から構成し、前記光受信用素子が複数個あることを特徴とする血圧測定装置。
【請求項７】
請求項６に記載の血圧測定装置において、前記光送信用素子から送信される光の波長がヘモグロビンへの吸収率が高い波長であることを特徴とする血圧測定装置。
【請求項８】
請求項６又は請求項７のいずれかに記載の血圧測定装置において、前記光送信用素子から送信される光の波長が６６０ｎｍにピークを持つことを特徴とする血圧測定装置。
【請求項９】
生体表面から生体内部の血液に波動を送受信して、前記生体内部の血液の流れを検出する血流速度センサと、前記血流速度センサの受信信号から血流速度を求める信号演算部１３を有し、
生体表面から生体内部の血液に光を送受信して、前記生体内部の血液の容積変化を検出する容積脈波センサと、前記容積脈波センサの受信信号から容積脈波強度を求める信号演算部２３を有し、
前記信号演算部１３では血液の流れに反射することによって生じる波動のドップラシフト周波数から血流速度ｖを求め、前記信号演算部２３では血液中のヘモグロビンに吸収される光の量から容積脈波強度を求め、容積脈波強度の変化は流れている動脈の径変化に相関することから動脈径ｄを求め、前記動脈径ｄと前記血流速度ｖから動脈の血流量Ｑを求め、前記動脈径ｄが血管抵抗Ｒに逆比例することから血管抵抗Ｒを求め、前記血流量Ｑと前記血管抵抗Ｒを用いて血圧Ｖを求めることを特徴とする血圧測定方法。
【請求項１０】
生体表面から生体内部の血液に波動を送受信して、前記生体内部の血液の流れを検出する血流速度センサと、前記血流速度センサを駆動させる駆動部４１と、前記血流速度センサからの信号を受信する受信部４２と、前記駆動部４１と前記受信部４２とを制御し血流速度を求める信号演算部４３と血流速度成分から強度スペクトルを分離し求める信号分離部４４とを有し、
前記信号演算部４３では血液の流れに反射することによって生じる波動のドップラシフト周波数から血流速度ｖを求め、前記信号分離部４４では前記ドップラシフト周波数の強度分布から前記血流速度の強度スペクトルＰを求め、前記血流速度の強度スペクトルＰは動脈を流れる血流の容積変化と比例することから容積脈波強度を求め、該容積脈波強度の変化は流れている動脈の径変化に相関することから動脈径ｄを求め、該動脈径ｄと前記血流速度ｖから動脈の血流量Ｑを求め、前記動脈径ｄが血管抵抗Ｒに反比例することから血管抵抗Ｒを求め、前記血流量Ｑと前記血管抵抗Ｒを用いて血圧Ｖを求めることを特徴とする血圧測定方法。
【請求項１１】
請求項９又は請求項１０に記載の血圧測定方法において、前記動脈径ｄが脈動に応じて径変化しているときの最大径ｄｍａｘと、前記血流速度Ｖが脈動に応じて速度変化しているときの最大速度ｖｍａｘとから最大血流量Ｑｍａｘを求め、前記最大径ｄｍａｘからもとめた血管抵抗Ｒｍｉｎと前記最大血流量Ｑｍａｘを用いて収縮期血圧のＶｍａｘを求めることを特徴とする血圧測定方法。
【請求項１２】
請求項９又は請求項１０に記載の血圧測定方法において、前記動脈径ｄが脈動に応じて径変化しているときの最小径ｄｍｉｎと、前記血流速度Ｖが脈動に応じて速度変化しているときの最小速度ｖｍｉｎとから最小血流量Ｑｍｉｎを求め、前記最小径ｄｍｉｎからもとめた血管抵抗Ｒｍａｘと前記最小血流量Ｑｍｉｎを用いて拡張期血圧のＶｍｉｎを求めることを特徴とする血圧測定方法。
【請求項１３】
請求項９から請求項１２のいずれかに記載の血圧測定方法において、カフを用いて収縮期実血圧Ｖｒｍａｘと拡張期実血圧Ｖｒｍｉｎを測定し、その測定と同時に前記血流速度センサあるいは前記容積脈波センサを用いて前記収縮期血圧Ｖｍａｘと拡張期血圧Ｖｍｉｎを求め、該収縮期血圧Ｖｍａｘから前記収縮期実血圧Ｖｒｍａｘを計算する補正係数と、前記拡張期血圧Ｖｍｉｎから前記拡張期実血圧Ｖｒｍｉｎを計算する補正係数をそれぞれ予め求めておき、
前記血流速度センサのみ、又は前記血流速度センサと前記容積脈波センサを用いて測定したときには、前記収縮期血圧Ｖｍａｘと前記補正係数を用いて前記収縮期実血圧を求め、前記拡張期血圧Ｖｍｉｎと補正係数を用いて前記拡張期実血圧を算出することを特徴とする血圧測定方法。
【請求項１４】
請求項９から請求項１２のいずれかに記載の血圧測定方法において、カフを用いて収縮期実血圧Ｖｒｍａｘと拡張期実血圧Ｖｒｍｉｎを測定し、その測定と同時に前記血流速度センサあるいは前記容積脈波センサを用いて前記収縮期血圧Ｖｍａｘと拡張期血圧Ｖｍｉｎを求め、該収縮期血圧Ｖｍａｘから前記収縮期実血圧Ｖｒｍａｘを計算する補正係数と、前記収縮期血圧Ｖｍａｘと前記拡張期血圧Ｖｍｉｎの差（Ｖｍａｘ−Ｖｍｉｎ）から前記収縮期実血圧Ｖｒｍａｘと前記拡張期実血圧Ｖｒｍｉｎの差（Ｖｒｍａｘ−Ｖｒｍｉｎ）を計算する補正係数を予め求めておき、
前記血流速度センサのみ、又は前記血流速度センサと前記容積脈波センサを用いて測定したときには、前記収縮期血圧Ｖｍａｘと前記補正係数を用いて前記収縮期実血圧を求め、前記収縮期血圧Ｖｍａｘと前記拡張期血圧Ｖｍｉｎの差と補正係数を用いて前記拡張期実血圧を算出することを特徴とする血圧測定方法。